(57)【要約】【課題】  ケーブルルートを検索するためには、発信器１からケーブル３内の電気信号を発生させた後、ケーブル３内の電気信号を受信器２により検知しながらケーブル３をたどって調べる必要があった。【解決手段】  複数の受信器２を取り付け、発信器１からケーブル３内に発生させた電気信号の各受信器２での検知情報を通信回線２０を用いてケーブルルート検索装置１０に送り、ケーブルルート検索装置１０において、ケーブルの配線情報に重ね合わせて表示する。【選択図】  図１
2005208866.tif 000002
【特許請求の範囲】
【請求項１】
検索対象のケーブル内に電気信号を発信する発信器と、識別データを設定する手段を備えケーブル内の電気信号を検知し電気信号検知有無情報と前記識別データを送信する複数の受信器と、ケーブル配線情報を表す画像データを入力するデータ入力部と、前記電気信号検知有無情報と前記識別データに基づき電気信号を検知した受信器を表現する画像と電気信号を検知しなかった受信器を表現する画像を前記データ入力部により入力された画像データに基づくケーブル配線情報画像上のぞれぞれの前記受信器が取り付けられた場所に相当する位置に表示する画像の画像データを作成するルート検索部と、ルート検索部で作成した画像データに基づく画像を表示する表示部と、前記受信器と前記ルート検索部間のデータ通信の媒介をする通信回線とを備えたことを特徴とするケーブルルート検索システム。
【請求項２】
検索対象のケーブル内に電気信号を発信する発信器と、ケーブル内の前記電気信号を検知する複数の受信器と、前記受信器を接続する接続端子と前記接続端子毎に識別データを設定する手段を備え前記接続端子に接続された前記受信器からの情報と前記識別データとを送信する信号処理装置と、ケーブル配線情報を表す画像データを入力するデータ入力部と、前記電気信号検知有無情報と前記識別データに基づき電気信号を検知した受信器を表現する画像と電気信号を検知しなかった受信器を表現する画像を前記データ入力部により入力された画像データに基づくケーブル配線情報画像上のそれぞれの前記受信器が取り付けられた場所に相当する位置に表示する画像の画像データを作成するルート検索部と、ルート検索部で作成した画像データに基づく画像を表示する表示部と、前記信号処理装置と前記ルート検索部間のデータの媒介をする通信回路とを備えたことを特徴とするケーブルルート検索システム。
【請求項３】
前記ケーブル配線情報を表す画像が、ケーブル配線図、または、電線管やケーブルトレイの配置を表す図、あるいはその両方であることを特徴とする請求項１または２に記載のケーブルルート検索システム。
【請求項４】
前記発信器は検索対象のケーブル内に生じさせる電気信号の周波数を可変に設定する手段を備え、前記受信器はケーブル内から検知する電気信号の周波数帯を可変に設定する手段を備えたことを特徴とする請求項１ないし3のいずれかに記載のケーブルルート検索システム。
【請求項５】
前記受信器は、前記ケーブル内から検知する電気信号の周波数帯の設定を前記通信回線からの情報により行うことを特徴とする請求項４に記載のケーブルルート検索システム。
【請求項６】
前記発信器は通信回線を介して受信する手段を有し、前記検索対象のケーブル内に発信する電気信号の周波数の設定を前記通信回線からの情報によって行うことを特徴とする請求項５に記載のケーブルルート検索システム。
【請求項７】
前記ルート検索部が、前記電気信号を検知した受信器を表現する画像を結ぶ線を前記ケーブル配線情報画像上に表示する画像の画像データを作成することを特徴とする請求項１ないし６のいずれかに記載のケーブルルート検索システム。
【請求項８】
発信器からケーブル内に発信した電気信号を検知する受信器の電気信号検知有無情報と前記受信器に設定された設定データとを受け取る手段と、ケーブル配線情報を表す画像データを入力する入力部と、前記電気信号検知有無情報と前記識別データに基づき電気信号を検知した受信器を表現する画像と電気信号を検知しなかった受信器を表現する画像を前記データ入力部により入力された画像データに基づくケーブル配線情報画像情報それぞれの前記受信器が取り付けられた場所に相当する位置に表示する画像の画像データを作成するルート検索部と、ルート検索部で作成した画像データを表示する表示部を備えたことを特徴とするケーブルルート検索装置。
【請求項９】
前記ルート検索部が、前記電気信号を検知した受信器を表現する画像を結ぶ線を前記ケーブル配線情報画像上に表示する画像の画像データを作成することを特徴とする請求項８に記載のケーブルルート検索装置。
【請求項１０】
発信器によりケーブル内に発信した電気信号を検知する受信器において、識別データを設定する手段と、前記識別データと電気信号検知情報を送信する手段とを備えたことを特徴とする受信器。
【請求項１１】
前記受信器は、通信回線を介して通信する手段と、前記ケーブル内から検知する電気信号の周波数帯の設定を前記通信回線からの情報により行なう手段を備えたことを特徴とする請求項１０に記載の受信器。
【請求項１２】
発信器によりケーブル内に発信した電気信号を検知してケーブルルートの検索に用いる受信器の複数と接続する接続端子と、前記接続端子毎に識別データを設定する手段と、前記接続端子に接続された前記受信器からの電気信号有無情報と前記識別データとを送信する手段とを備えたことを特徴とする信号処理装置。
【発明の詳細な説明】
【技術分野】
【０００１】
本発明は、検索対象のケーブル内に電気信号を発信させ、この発信した電気信号を検知してケーブルのルートを調べるケーブルルート検索システム、ケーブルルート検索装置、受信器及び信号処理装置に関する。
【背景技術】
【０００２】
発電所のような施設においては、複数の機器間を接続する多数のケーブルが布設されている。これらのケーブルの布設は、一度に行なわれることは少なく、必要に応じ順次行なわれることが多い、このため、施設内の全てのケーブルについて布設場所を記載した図面が存在することはまれである。このためケーブルの補修や撤去などでケーブル布設場所を知る必要がある時に、対象となるケーブルが施設内のどこに布設されているかが不明な場合がある。このような場合に従来は携帯型の受信器を用いて対象となるケーブルを検索していた。
【０００３】
以下、ケーブルルート検索の従来の技術について説明する。施設内の二つの装置間を接続するケーブルが布設されているケーブルを検索する場合、まず、検索を行なおうとするケーブルが特定できる位置において発信器のクランプをケーブルに取り付ける。次に、発信器からクランプを介して検索のための電気信号を検索対象のケーブル内に発信する。ケーブル内への電気信号発信後、ケーブルルート検索を行なう者が、携帯型の受信器によってケーブル内に発信した電気信号によりケーブル周囲に発生している磁束などが検知されるケーブルをたどって歩きながらそのケーブルの布設位置を調査する。複数のケーブルを検索する場合には、発信器のクランプを次に検索しようとするケーブルに把持し直して、同様の作業を繰り返して行なう。
【発明の開示】
【発明が解決しようとする課題】
【０００４】
上述の従来のケーブルルートの検索においては、検索を行なう者が歩き回って調査を行なうため、検索時間が多くかかる。また、人の入れない狭部の場所、高所の場所があった場合には、ケーブルをたどって検索することができないため、ケーブルが繋がっている可能性のある場所を携帯型の受信器を使って丹念に検索を繰り返して探す必要があるなどケーブルの検索が困難であった。
【０００５】
本発明は、かかる従来の事情に対処して成されたものであり、容易かつ効率的にケーブルルートの検索を行なうことができるケーブルル−ト検索システム、ケーブルルート検索装置、受信器および信号処理装置を提供することを目的とする。
【課題を解決するための手段】
【０００６】
上記の目的を達成するため、本発明のケーブルルート検索システムは、検索対象のケーブル内に電気信号を発信する発信器と、識別データを設定する手段を備えケーブル内の電気信号を検知し電気信号検知有無情報と前記識別データを送信する複数の受信器と、ケーブル配線情報を表す画像データを入力するデータ入力部と、前記電気信号検知有無情報前記識別データに基づき電気信号を検知した受信器を表現する画像と電気信号を検知しなかった受信器を表現する画像を前記データ入力部により入力された画像データに基づくケーブル配線情報画像上のぞれぞれの前記受信器が取り付けられた場所に相当する位置に表示する画像の画像データを作成するルート検索部と、ルート検索部で作成した画像データに基づく画像を表示する表示部と、前記受信器と前記ルート検索部間のデータ通信の媒介をする通信回線とを備えたことを特徴とする。
【０００７】
上記構成のケーブルルート検索システムにおいては、発信器からの検索対象のケーブルに発生させた電気信号の複数の受信器の検知状況が、ケーブル配線情報と合わせて画像で確認できる。
【０００８】
また、本発明のケーブルルート検索システムは、検索対象のケーブル内に電気信号を発信する発信器と、ケーブル内の前記電気信号を検知する複数の受信器と、前記受信器を接続する接続端子と前記接続端子毎に識別データを設定する手段を備え前記接続端子に接続された前記受信器からの情報と前記識別データとを送信する信号処理装置と、ケーブル配線情報を表す画像データを入力するデータ入力部と、前記電気信号検知有無情報と前記識別データに基づき電気信号を検知した受信器を表現する画像と電気信号を検知しなかった受信器を表現する画像を前記データ入力部により入力された画像データに基づくケーブル配線情報画像上のそれぞれの前記受信器が取り付けられた場所に相当する位置に表示する画像の画像データを作成するルート検索部と、ルート検索部で作成した画像データに基づく画像を表示する表示部と、前記信号処理装置と前記ルート検索部間のデータの媒介をする通信回路とを備えたことを特徴とする。
【０００９】
上記構成のケーブルルート検索システムにおいては、受信器を特定する情報を送信することが出来ない受信器を用いて、発信器から検索対象のケーブルに発生させた電気信号の複数の受信器の検知状況が配線情報と合わせて画像で確認できる。
【００１０】
さらに、本発明のケーブルルート検索システムは、前記ケーブル配線情報を表す画像が、ケーブル配線図、または、電線管やケーブルトレイの配置を表す図、あるいはその両方であることを特徴とする。
【００１１】
上記構成のケーブルルート検索システムにおいては、発信器から検索対象のケーブルに発生させた電気信号の複数の受信器の検知状況が、ケーブル配線図、または、電線管やケーブルトレイの配置と合わせて画像で確認できる。
【００１２】
さらに、本発明のケーブルルート検索システムは、前記発信器は検索対象のケーブル内に生じさせる電気信号の周波数を可変に設定する手段を備え、前記受信器はケーブル内から検知する電気信号の周波数帯を可変に設定する手段を備えたことを特徴とする。
【００１３】
上記構成のケーブルルート検索システムにおいては、検索対象でないケーブルへの電気信号の回り込みに対処して、発信器からの電気信号の周波数を変えてケーブルルートの検索を行なうことができる。
【００１４】
さらに、本発明のケーブルルート検索システムは、前記受信器は、前記ケーブル内から検知する電気信号の周波数帯の設定を前記通信回線からの情報により行うことを特徴とする。
【００１５】
上記構成のケーブルルート検索システムにおいては、検索対象でないケーブルへの電気信号の回り込みに対処して、発信器からの周波数可変に発信される電気信号を検知するように、通信回線からの情報により複数の受信器の設定を行なうことができるので、受信器が複数であっても周波数の変更が容易に行なうことができる。
【００１６】
さらに、本発明のケーブルルート検索システムは、前記発信器は通信回線を介して受信する手段を有し、前記検索対象のケーブル内に発信する電気信号の周波数の設定を前記通信回線からの情報によって行うことを特徴とする。
【００１７】
上記構成のケーブルルート検索システムにおいては、検索対象でないケーブルへの電気信号の回り込みに対処して、電気信号の周波数を変えてケーブルル−ト検索を行なうことが通信回線の情報により容易に行なうことができる。
【００１８】
さらに、本発明のケーブルルート検索システムは、前記ルート検索部が、前記電気信号を検知した受信器を表現する画像を結ぶ線を前記ケーブル配線情報画像上に表示する画像の画像データを作成することを特徴とする。
【００１９】
上記構成のケーブルルート検索システムにおいては、発信器からの検索対象のケーブルに発生させた電気信号の複数の受信器の検知状況に加えて検索対象のケーブルルートが配線情報と合わせて画像で確認できる。
【００２０】
本発明のケーブルルート検索装置においては、発信器からケーブル内に発信した電気信号を検知する受信器の電気信号検知有無情報と前記受信器に設定された設定データとを受け取る手段と、ケーブル配線情報を表す画像データを入力する入力部と、前記電気信号検知有無情報と前記識別データに基づき電気信号を検知した受信器を表現する画像と電気信号を検知しなかった受信器を表現する画像を前記データ入力部により入力された画像データに基づくケーブル配線情報画像情報それぞれの前記受信器が取り付けられた場所に相当する位置に表示する画像の画像データを作成するルート検索部と、ルート検索部で作成した画像データを表示する表示部を備えたことを特徴とする。
【００２１】
上記構成のケーブルルート検索装置においては、発信器からの検索対象のケーブルに発生させた電気信号の複数の受信器の検知状況が配線情報と合わせて画像で確認できる。
【００２２】
さらに、本発明のケーブルルート検索装置においては、前記ルート検索部が、前記電気信号を検知した受信器を表現する画像を結ぶ線を前記ケーブル配線情報画像上に表示する画像の画像データを作成することを特徴とする。
【００２３】
上記構成のケーブルルート検索装置においては、複数の受信器における発信器からの検索対象のケーブルに発生させた電気信号の検知状況に加えて検索対象のケーブルルートがケーブル配線情報と合わせて画像で確認できる。
【００２４】
本発明の受信器においては、発信器によりケーブル内に発信した電気信号を検知する受信器において、識別データを設定する手段と、前記識別データと電気信号検知情報を送信する手段とを備えたことを特徴とする。
【００２５】
上記構成の受信器においては、受信器を識別して電気信号の検知情報が送信されるので、どの受信器が電気信号を検知しているかが容易に確認できる。
【００２６】
さらに、本発明の受信器においては、前記受信器は、通信回線を介して通信する手段と、前記ケーブル内から検知する電気信号の周波数帯の設定を前記通信回線からの情報により行なう手段を備えたことを特徴とする。
【００２７】
上記構成の受信器においては、検索対象でないケーブルへの電気信号の回り込みに対処して、周波数を変えた電気信号を検知するために検知する電気信号の周波数帯の設定を通信回線からの情報により容易に設定することができる。
【００２８】
本発明の信号処理装置においては、発信器によりケーブル内に発信した電気信号を検知してケーブルルートの検索に用いる受信器の複数と接続する接続端子と、前記接続端子毎に識別データを設定する手段と、前記接続端子に接続された前記受信器からの電気信号有無情報と前記識別データとを送信する手段とを備えたことを特徴とする。
【００２９】
上記構成の信号処理装置においては、受信器を特定する情報を送信することができない受信器を用いて、受信器を識別して電気信号の検知情報を送信することができる。
【発明の効果】
【００３０】
本発明のケーブルルート検索システムにおいては、受信器の電気信号の受信状況が配線情報に重ね合わせて画像表示されるため、検索対象のケーブルルートを容易に知ることができる。
【発明を実施するための最良の形態】
【００３１】
以下に、本発明に係るケーブルルート検索システムの第１の実施の形態について図１を参照して説明する。
【００３２】
施設内には、複数の装置６が多数のケーブル３によって接続されている。ケーブル３の検索のための電気信号を発信する発信器１に設けられたクランプ１ａは、ルートを検索しようとするケーブル３に取り付けられる。ケーブル３を保持しているケーブルトレイ５やケーブル３が中を通っている電線管４や電線管分岐箱７などの複数の場所に、ケーブル３内の電気信号を検知する受信器２が取り付けられている。
【００３３】
受信器２の外観を図２に示す。ケーブル３内の電気信号を検知するセンサ部２ａ、検知されたときに点灯して検知結果を表示する表示灯２ｂ、識別データを設定する設定手段２ｃ、および通信回線２０への接続ケーブル２０ａを接続する接続端子２ｄより構成されている。図１に示すように、発信器１および受信器２は接続された接続ケーブル２０ａを介して通信回線２０に接続されて、通信回線２０はケーブルルート検索装置１０に接続されている。
【００３４】
ケーブルルート検索装置１０は、ケーブルルート検索を行なうルート検索部１１に、表示部１２、入力部１３、データ入力部１４、出力部１５が接続された構成となっている。
【００３５】
表示部１２は、ルート検索部１１での処理状況やケーブルルート検索結果を表示し、入力部１３はルート検索部１１への指示情報などの入力を行なう手段である。データ入力部１４は、紙面に記載された画像を画像データとして読み込む手段、あるいは記憶媒体に記憶された画像データを読み込み手段で、ケーブル３束が施設内のどの場所にあるかを示すような図や、特定のケーブル３のケーブル配線図や、ケーブルトレイ５や電線管４や電線管分岐箱７などの配置を表した図などのケーブル情報を表す画像データを読み込むためのものである。出力部１５は、ケーブルルート検索結果の画像データに基づく画像を紙に印刷、あるいは、この画像データを記憶媒体に記憶させる手段である。
【００３６】
次に、ルート検索部１１の機能ブロック図である図３を用いてルート検索部１１の説明を行なう。
【００３７】
画像データ入力手段１００は、データ入力部１４を介してケーブル配線情報の画像を画像データとして取り込む。画像データ入力手段１００は、画像作成手段１０１に接続されている。画像作成手段１０１は、画像データ入力手段１００よりケーブル配線情報の画像データを読み出し画像データ記憶手段１０２に記憶させる。画像作成手段１０１は、画像データ記憶手段１０２からの画像データの読み出し、画像データの変更についても行なう。画像データ記憶手段１０２に記憶された画像データに基づき、画像表示手段１１１によって表示部１２に画像が表示され、また画像出力手段１１２によって出力１５に画像が出力される。
【００３８】
画像位置入力手段１０３は、画像データ記憶手段１０２に記憶された画像データ上での座標を入力するための手段で、画像位置入力手段１０３からの座標データに基づき画像作成手段１０１がその座標に対応する画像出力手段１１２の画像の位置にマークを表示する。画像位置入力手段１０３への座標データの供給は入力部１３を用いて行なうことができる。
【００３９】
機器位置書込手段１０４は、発信器１や受信器２を画像データ上の座標に割り当てる手段で、画像位置入力手段１０３により入力した座標を機器位置記憶手段１０５に記憶させる。さらに、機器位置書込手段１０４は、発信器１や受信器２を識別する情報とその画像データ上の座標位置を画像作成手段１０１に送る。
【００４０】
画像作成手段１０１は、機器画像記憶手段１１０からそれぞれを表現する画像を読み出し、画像データ記憶手段１０２の画像の発信器１および受信器２のそれぞれの座標位置に表示する画像の画像データを作成し、画像データ記憶手段１０２に記憶させる。また、機器位置書込手段１０４は、入力された受信器２の識別データを識別データ記憶手段１０６に記憶させる。
【００４１】
検索命令手段１０７は、受信器２または発信器１に対しての命令を送信する手段で、通信回線２０とのデータの入出力を行なう通信回線入出力インターフェース２０１に対してデータの入出力を行なう。本実施の形態の検索命令手段１０７は、図４(ａ)に示すように、発信器１に対して電気信号の発信開始の命令を送信する電気信号発信命令手段１０７ｂと受信器２に対して電気信号の検知を開始して電気信号検知有無情報および識別データより構成される検知情報を送信させる命令を送信する検知情報送信命令手段１０７ｃで構成されている。
【００４２】
各受信器２から送信された検知情報は検知情報受信手段１０８により受け取る。受け取った検知情報は、照合手段１０９により識別データ記憶手段１０６に記憶された識別データと照合されて、機器位置記憶手段１０５に記憶された対応する受信器２の画像データ上の座標と合わせて、再び機器位置記憶手段１０５に記憶される。機器位置記憶手段１０５に記憶された画像上の座標情報を含む検知情報は、画像作成手段１０１により画像データ記憶手段１０２に画像として記憶される。
【００４３】
次に、このように構成された本実施の形態の作用を図５に示すフローチャートを参照して説明する。まず、検索対象となるケーブル３に発信器１を取り付け、通信回線２０と接続する。次に、全ての受信器２に対して受信器２が識別できるように異ならせた識別データを設定し、ケーブルトレイ５などへ取り付け、通信回線２０に接続する。
【００４４】
一方、データ入力部１４により読み込んだケーブル配線情報の画像データを画像データ入力手段１００で受け取る(ステップ１００１)。取り込んだ画像データを画像作成手段１０１により画像データ記憶手段１０２に記憶させ、画像データ記憶手段１０２の画像データの画像を画像表示手段１１１により表示部１２に表示させる(ステップ１００２)。発信器１をとりつけた位置に相当する画像データ上の座標を画像位置入力手段１０３により入力し、機器位置書込手段１０４により、ルート検索部１１内で発信器１を認識する発信器データの座標として機器位置記憶手段１０５に記憶させる(ステップ１００３)。さらに、機器位置書込手段１０４は、画像作成用データを画像作成手段１０１に送る。画像作成手段１０１は、機器画像記憶手段１１０から発信器１を表す図画を読み出して、画像データ上の座標と対応させて画像データ記憶手段１０２に記憶させる(ステップ１００４)。
【００４５】
また、機器位置書込手段１０４により、受信器２の識別データをルート検索部１１での処理において受信器２を特定する番号（以降受信器番号と記述する。）と対応させて、識別データ記憶手段１０６に記憶させる（ステップ１００５）。取扱を容易にするために受信器番号は連番であることが好ましい。また発信器１と同様に受信器２の取り付けられた位置に対応する画像データ上の座標を画像位置入力手段１０３により入力し、機器位置書込手段１０４により機器位置記憶手段１０５に受信器番号と対応させた受信器データとして記憶させる(ステップ１００６)。さらに、機器位置書込手段１０４から画像作成手段１０１にデータを送り、機器画像記憶手段１１０から受信器２を表す画像を読み出して、画像データ上の座標と対応させて画像データ記憶手段１０２に記憶させる(ステップ１００７)。全ての受信器２の情報を入力し終わるまでステップ１００５からステップ１００７を繰り返す（ステップ１００８）。
【００４６】
ここまでの手順が完了したときの表示部１２に提示される画像を図6（a）に示す。機器を含めた配線情報を示す図画３００に、発信器１および受信器2を取り付けた位置に対応して、発信器を表現する図画３０１および受信器を表現する図画３０２ａが表示されている。
【００４７】
次に検索処理（ステップ１００９）を行うが、本実施の形態の検索処理（ステップ１００９）は、図７（ａ）に示すステップからなっている。検索処理について、図７（ａ）を参照して説明する。まず、発信器１に対して電気信号を発信するように電気信号発信命令手段１０７ｂにより電気信号発信命令を送信する（ステップ１００９ｃ）。電気信号発信命令手段１０７ｂにより、発信器１から電気信号が発信されているかを確認し、発信されていなければ電気信号発信命令の送信を繰り返す（ステップ１００９ｄ）。電気信号が発信されていれば、受信器２に対して電気信号の検知を開始して、検知情報を送信するように検知情報送信命令を送信する（ステップ１００９ｅ）。受信器２より送られてきた検知情報は検知情報受信手段１０８により受け取る（ステップ１００９ｆ）。全ての受信器２から検知情報を受け取るまでステップ１００９ｅおよび１００９ｆを繰り返す（ステップ１００９ｇ）。
【００４８】
全ての受信器２から検知情報を受け取った後、照合手段１０９により識別データ記憶手段１０６に記憶されている識別データと照合して受信器番号を得て、受信器番号に対応する受信器データに電気信号検知有無情報を付加する（ステップ１０１０）。全ての検知情報について照合が終わるまでステップ１０１０を繰り返す（ステップ１０１１）。全ての検知情報について照合が終了すると、画像作成手段１０１が受信器データを受け取り、検知した受信器を表現する画像データとこれと異なる画像の検知しなかった受信器を表現する図画データを機器画像記憶手段１１０より読み出して、電気信号検知有無情報に基づき、電気信号検知があった受信器データの座標には検知した受信器を表現する図画データの画像を、電気信号検知が無かった受信器データの座標には検知しなかった受信器を表現する図画データの画像を画像データ記憶手段１０２の画像データの画像の上に表示する画像を作成する（ステップ１０１２）。
【００４９】
このとき、表示部１２に表示される画像の例を図６（ｂ）に示す。図６（ｂ）において、電気信号を検知した受信器を表現する図画３０２ｂおよび電気信号を検知しなかった受信器を表現する図画３０２ｃが、ケーブルトレイ５や電線管４や電線管分岐箱７の配置および接続関係が描画されている画像の対応する位置に表示されているため、ケーブルルートが容易に理解できる。
【００５０】
この検知結果を示す画像は必要に応じて、画像出力手段１１２により画像データ記憶手段１０２から読み出されて出力部１５に送られる（ステップ１０１３）。
【００５１】
本実施の形態によれば、発信器１および受信器２をケーブルルート検索装置１０から操作することができ、ケーブルトレイ５や電線管４や電線管分岐箱７の配置および接続関係と受信器２の取り付け位置関係、および、それぞれの受信器２の電気信号検知の有無が表示部１２に表示される画像で分かるため、表示部１２を見ることでケーブルルートを容易に知ることができる。
【００５２】
検知した受信器を表現する図画と検知しなかった受信器を表現する図画は、形状が異なっていても、形状が同じで色を異ならせても、色および形状を異ならせても、文字や記号を付加して異ならせても、識別することができれば良い。
【００５３】
また、受信器２から送信される検知情報は、電気信号を検知した時のみに識別データを送信し、電気信号を検知しない時には識別データを送信しない構成として識別データが電気信号検知有無情報を兼ねても良い。
【００５４】
また、発信器１は１台だけではなく、受信器２と同様な識別データが設定できる発信器１を複数台検索対象である複数のケーブル３に取り付け、ケーブルルート検索装置１０から発信を行う発信器１の識別データおよび電気信号発信命令を送信して、複数のケーブルルートの検索を順次行うこともできる。
【００５５】
また、発信器１が１台で、複数のケーブルルートを検索する場合、発信器１のクランプ１ａをこれから検索を行なうケーブル３に付け替えて検索行う必要がある。そこで発信器１の発信開始をケーブルルート検索装置１０からの電気信号発信命令によって行なう代わりに発信器１についている発信開始スイッチによって行っても、作業量は多くならない。この時の機能ブロック図の検索命令手段１０７は図４（ｂ）に示すように、検知情報送信命令手段１０７ｃのみでよい。また、図５に示すフローチャートの検索処理１００９は、図７（ｂ）に検索処理１００９Ａとして示すステップ１００９ｅの検知結果送信命令送信とステップ１００９ｆの電気信号検知有無情報および識別データ情報受け取りと、その全ての受信器２からの情報を受け取るまでの繰り返しのステップ１００９ｇとなる。
【００５６】
また、発信器１はクランプ１ａを介してケーブル３内に電気信号を発信したが、ケーブル３に直接接続して、ケーブル３内に電気信号を発信する構造であっても良い。
【００５７】
次に、本発明に係るケーブルルート検索システムの第２の実施の形態について説明する。図１の発明の構成、図２の受信器２外観、図３の機能ブロック図、図５のフローチャートは、本発明の第１の実施の形態と同じであるので説明を省略する。
【００５８】
本実施の形態では、図１に示した発信器１が通信回路２０からの情報を受信できる手段を備え、通信回線２０からの情報により電気信号の周波数を可変に設定して、設定した周波数の電気信号をケーブル３内に発信できること、および受信器２が通信回線２０からの情報により周波数帯を可変に設定して、ケーブル３の設定した周波数帯の電気信号を検知することができることが第１の実施の形態と相違する。このため、ケーブルルート検索装置１０のケーブルルート検索部１１の検索命令手段１０７に、図４（ｃ）に示したように、電気信号周波数設定手段１０７ａが設置されている。このとき、受信器２に設定される周波数帯は、発信器１に設定される周波数が含まれるように行なわれる。
【００５９】
次に、本実施の形態の作用について説明する。図５のフローチャートの検索処理１００９が図８に記載した検索処理１００９Ｂに変わる。その他のフローチャートの流れで示す作用は本発明の第１の実施の形態に同じであるので説明を省略する。図８の検索処理１００９Ｂにおいて、電気信号周波数設定手段１０７ａが通信回線入出力インターフェース２０１に電気信号周波数情報を出す。このとき、電気信号周波数に加えて受信器２が検知する電気信号の周波数帯の周波数幅の信号を送っても良い（ステップ１００９ａ）。電気信号周波数設定手段１０７ａは、発信器１の電気信号周波数の設定および全ての受信器２の電気信号周波数帯の設定が完了するまでステップ１００９ａを繰り返す（ステップ１００９ｂ）。
【００６０】
次に、電気信号発信命令手段１０７ｂから電気信号発信命令を送信し（ステップ１００９ｃ）、発信器１から電気信号が発信されていることを確認する（ステップ１００９ｄ）。次に検知情報送信命令手段１０７ｃから検知結果送信命令を送信し（ステップ１００９ｅ）、検知情報受信手段１０８で、受信器２からの電気信号検知有無情報および識別データからなる検知情報を受け取る（ステップ１００９ｆ）。全ての受信器２から検知情報の受け取りが完了するまでステップ１００９ｅとステップ１００９ｆを繰り返し（ステップ１００９ｇ）、完了したら検索処理１００９Ｂを終了する。
【００６１】
ところで、ケーブル３が近接している場所では電気信号の拡散、または電線管４,ケーブルトレイ５、接地などから検索対象でないケーブル３に電気信号が回り込むことが考えられる。そこで、本発明の実施の形態によれば、周波数を変えて電気信号をケーブル３に発生し、その周波数の電気信号がケーブル３に発生していることを検知できるため、電気信号の回り込み状態の少ない周波数を選んでケーブルルートを検索することができる。また、周波数の変更による受信器２の検知状況が、表示部１２の画面により一目で確認できるため、回り込みの少ない周波数を選び出すことも容易にできる。このため、ケーブルルート検索の精度を向上させることができる。
【００６２】
次に、本発明に係るケーブルルート検索システムの第３の実施の形態を図９および図１０（ａ）を用いて説明する。図９は、図１に記載のルート検索部１１の機能ブロック図で、図１０（ａ）は、図９の分析手段１１３の詳細な機能ブロック図である。
【００６３】
ルート検索部１１Ａ以外の構成については本発明の第１の実施の形態と同じであるため説明を省略する。また、図９の機能ブロック図で本発明の第１の実施の形態と同一な手段に関しては同一の符号を付して、説明を省略する。
【００６４】
画像データ入力手段１００は、紙面または記憶媒体に記憶されたケーブル配線情報の画像データを読み込む。読み込まれた画像データは、画像作成手段１０１により画像データ記憶手段１０２Ａに記憶される。画像データ記憶手段１０２Ａに記憶された画像データは、全体が一つの図画の場合、ルート検索部１１においてケーブルトレイ５や電線管４や電線管分岐箱７やケーブル３といった認識をしていない。そこで、画像分析手段１１３ａは、画像データ記憶手段１０２Ａの画像データを図画パターン記憶手段１１３ｂに記憶された図画との類似によりケーブルトレイ５や電線管４や電線管分岐箱７やケーブル３などに対応する部品データに変換する。部品データは画像データ上の座標を含むデータである。画像分析手段１１３ａは、部品データ作成とともに部品データ間の接続についてもデータを作成する。
【００６５】
次に、連携分析手段１１３ｃによって、部品データおよびその接続データを基に、分岐点を解析する。さらに、分岐点と分岐点の間にある部品データを一つのグループとしたデータを作成し、画像分析手段１１３ａおよび連携分析手段１１３ｃにより作成した全てのデータ（以降連携データと記述する。）を連携記憶手段１１４に記憶させる。連携記憶手段１１４に記憶されたデータは、連携処理手段１１５により読み出し、画像作成用データに変換して画像作成手段１０１に送られる。画像作成手段１０１は、それぞれの部品データに対応する機器または部品を表現する図画を機器画像記憶手段１１０より読み出し、画像データ記憶手段１０２Ａに記憶された画像の対応する座標位置に重ね合わせた画像データ（すなわち、対応する位置に機器または部品を表現する図画を表示する画像の画像データ）を作成して、画像データ記憶手段１０２Ａに記憶する。
【００６６】
また、連携処理手段１１５は、連携記憶手段１１４に記憶された連携データの加工や追加も行なう。受信器２を連携データに追加する場合には、受信器２の識別データを受信器番号と対応させて識別データ記憶手段１０６に記憶させる。
【００６７】
検知情報受信手段１０８で受け取った検知情報を照合手段１０９によって識別データ記憶手段１０６に記憶した識別データと照合し受信器番号を得て、対応する連携データに電気信号検知有無情報を加える。また、照合手段１０９は、連携記憶手段１１４に記憶された連携データに基づき、ケーブル３に対応する部品データの内、グループ内の全ての受信器番号の連携データが電気信号検知を示す情報が付加されているグループに属するものに対してケーブルルートの情報を付加する。
【００６８】
次に、本実施の形態の作用について図１１および図１２（ａ）のフローチャートを用いて説明する。ケーブル配線情報の画像データを画像データ入力手段１００で受け取る（ステップ１００１）。次に、受け取った画像データを画像作成手段１０１により画像データ記憶手段１０２に記憶させる（ステップ１００２）。
【００６９】
次にステップ１１００の画像分析を行なうが、詳細フローは図１２（ａ）に示す。画像データ記憶手段１０２に記憶された画像データを画像分析手段１１３ａにより図画パターン記憶手段１１３ｂに記憶された図画パターンに照合し、類似によりケーブルトレイ５や電線管や電線管分岐箱７およびケーブル３を認識する部品データを作成する。このとき、合わせて部品データ間の接続のデータも作成する（ステップ１１００ａ）。次に、連携分析手段１１３ｃによって部品データ、接続のデータより分岐点を求め、分岐点の間の部品データを一つのグループとし、ステップ１１００ａで作成したデータも含めて連携データとして連携記憶手段１１４に記憶させる（ステップ１１００ｂ）。
【００７０】
連携記憶手段１１４に記憶された連携データは連携処理手段１１５により読み出されて、画像作成用データに変換して画像作成手段１０１に送られる。画像作成手段１０１ではこの画像作成用データに基づき画像データを作成し、画像データ記憶手段１０２に記憶する（１１０１）。画像データ記憶手段１０２に記憶された画像データの画像は画像表示手段１１１により表示部１２に送られ、表示部１２に画像表示され、連携状態が正しいかの判断を受ける（ステップ１１０２）。
【００７１】
連携状態が正しくない場合には、画像位置入力手段１０３により画像上の座標を入力し、この座標情報を受けた連携処理手段１１５が連携記憶手段１１４に記憶された連携データと照合し、対応する誤要素となる部品データを選び出す（ステップ１１０３）。次に正しい連係情報を入力部１３より入力する。このとき、画像位置は画像位置入力手段１０３より入力される。入力されたデータを基に連携処理手段１１５によりデータを変更して連携記憶手段１１４に記憶させる（ステップ１１０４）。再びステップ１１０１により画像データを作成表示し、ステップ１１０２により連携状態を判断して、全ての連携状態が正しくなるまで繰り返す。
【００７２】
全ての連携状態が正しくなったら、画像位置入力手段１０３により画像上の情報を入力し、連携処理手段１１５により発信器１を連携データに追加して連携記憶手段１１４に記憶する。このとき、連携処理手段１１５は、発信器１を表す図画を表示するための画像作成用データを画像作成手段１０１に送る。画像データ作成手段１０１は、発信器を表現する図画を機器画像記憶手段１１０から読み出し、画像データ記憶手段１０２に記憶する。発信器１の情報を連携記憶手段１１４および画像データ記憶手段１０２に記憶させることが発信器の登録である（ステップ１２０１）。
【００７３】
次に、連携処理手段１１５により受信器２の識別データを入力し、ルート検索部１１で複数の受信器２を、それぞれ識別して取り扱うための受信器番号に対応させて識別データ記憶手段１０６に記憶させる（ステップ１００５）。ステップ１２０１で発信器１を登録したのと同様なステップにより受信器２を登録する。このステップにより受信器２の情報が連携記憶手段１１４と画像データ記憶手段１０２に記憶される（ステップ１２０２）。全受信器２について登録が終わるまでステップ１００５とステップ１２０２を繰り返す（ステップ１００８）。
【００７４】
この状態で表示部１２に表示される画像は例えば図１３（ａ）のようになる。この画像では電線管を表現する画像３０４、ケーブルトレイを表現する画像３０５、電線管分岐箱を表現する画像３０７ａ、３０７ｂおよびケーブル３の存在を表現する画像３３０、装置を表現する画像３０６が発信器を表現する画像および受信器を表現する画像３０２ａと同様に機器を認識して表示されている。
【００７５】
ステップ１００９の検索処理は、本発明の第１の実施の形態または第２の実施の形態と同じであるので説明を省略する。
【００７６】
ステップ１００９の検索処理により全ての受信器２から検知情報の受け取りを完了したら、照合手段１０９により、識別データ記憶手段１０６に記憶された識別データと照合し受信器番号を得る。照合手段１０９は、この受信器番号に対応する連携データに電気信号検知有無情報を付加して連携記憶手段１１４に記憶させる（ステップ１０１０）。全ての検知情報についてステップ１０１０を繰り返す（ステップ１０１１）。
【００７７】
次に、照合手段１０９は、対応する受信器番号の連携データを連携記憶手段１１４により読み出す。グループ内の全ての受信器番号の連携データに電気信号を検知した情報が付加されているグループのケーブル３の部品データにケーブルルート情報を付加し、連携記憶手段１１４にデータを記憶させる（ステップ１１０５）。条件に合うグループ全部のケーブル３の部品データにケーブルルート情報を付加するまでステップ１１０５を繰り返す（ステップ１１０６）。
【００７８】
次に、連携処理手段１１５により連携記憶手段１１４に記憶された受信器番号毎に電気信号検知情報と画像上の座標およびケーブルルート情報を付加されたケーブル３の部品データを読み出し、画像作成手段１０１に送る。画像作成手段１０１では、電気信号を検知した受信器を表現する図画データ、電気信号を検知しなかった受信器を表現する図画データ、およびケーブルルートを表示する図画データを機器画像記憶手段１１０から読み出して、検索結果画像の画像データを作成し、画像データ記憶手段１０２に記憶させる（ステップ１２１２）。画像データ記憶手段１０２に記憶された検索結果画像データは必要に応じて、画像出力手段１１２により出力部１５に画像データまたは画像データに基づく画像が出力される（ステップ１２１３）。
【００７９】
検索結果画像の例を図１３（ｂ）示す。電気信号を検知した受信器を表現する図画３０２ｂ電気信号を検知しなかった受信器を表現する図画３０２ｃにより受信器２の検知状態が一目で分かるとともに、ケーブルルートを表現する図画３３１により、検索対象のケーブルルートが、その他のケーブル３３０と明確に区別できる。
【００８０】
本実施の形態によれば、検索対象のケーブルルートおよび電気信号を検知した受信器２の配置が表示部１２の表示により一目で分かるため、容易にケーブルルートを検索することができる。
【００８１】
また、本実施の形態で図９の機能ブロック図の分析手段１１３をなくした構成としても良い。このときは、分岐点などの情報は全て連携処理手段１１５と画像位置入力手段１０３により入力して連携記憶手段１１４に記憶される。
【００８２】
また、本実施の形態でケーブルトレイ５や電線管４が識別されて記憶された配線情報を読み出して用いる場合には、図１０（ｂ）に示すように分析手段１１３は連携分析手段１１３ｃのみの構成であっても良い。このとき図１１のフローチャートのステップ１１００画像分析は、図１２（ｂ）に示す画像分析１１００Ａのように連携データの作成のステップ１１００ｂのみとなる。
【００８３】
次に、本発明に係るケーブルルート検索システムの第４の実施の形態を図１４を用いて説明する。第１の実施の形態と同じ構成要素は同一の符号を付して説明を省略する。ルート検索部１１は、第１の実施音形態から第３の実施の形態において説明した機能ブロック図のいずれとすることもでき、ここでは説明を省略する。
【００８４】
受信器２は無線通信装置９ａに接続され、無線通信装置９ａと交信できる場所に置かれた無線通信装置９ｂが接続ケーブル２０ａを介して通信回線２０に接続されている。
【００８５】
このように構成された本実施の形態において、ケーブルルート検索装置１０から送信された情報は、通信回線２０から接続ケーブル２０ａを介して無線通信装置９ｂに送られる。無線通信装置９ｂは無線通信装置９ａと無線通信を行い、無線通信装置９ａに送られた情報が受信器２に送られる。受信器２からの情報は、逆の経路をたどってケーブルルート検索装置１０に送られる。
【００８６】
本実施の形態によれば、受信器２を通信回線２０に接続ケーブル２０ａにより全て接続する必要が無いので、受信器２と通信回線２０をつなぐ接続ケーブル２０ａの量が削減でき接続ケーブル２０ａの取り回しに困ることが無くなる。このため、受信器２の設置が容易になる。
【００８７】
なお、無線通信装置９ａは受信器２内に内蔵することもできる。
【００８８】
次に、本発明に係るケーブルルート検索システムの第５の実施の形態を図１５および図１６を用いて説明する。第１の実施の形態と同じ構成要素は同一の符号を付して説明を省略する。ルート検索部１１は第１の実施の形態から第３の実施の形態において説明した機能ブロック図のいずれとすることもでき、ここでは説明を省略する。
【００８９】
図１５において、受信器２は、接続ケーブル20ａを介して信号処理装置２１に接続する。信号処理装置２１は図１６に外観を示すように受信器２からの接続ケーブル２０ａを接続する接続端子２１ａと、接続端子２１ａ毎に識別データを設定する識別データ設定手段２１ｂとを備えている。
【００９０】
このように構成された本実施の形態において、受信器２からの電気信号検知有無情報を受け取った信号処理装置２１は、電気信号検知有無情報にこの情報を受け取った接続端子２１ａの識別データを付加した検知情報を通信回線２０に送信する。
【００９１】
本実施の形態によれば、受信器２から識別データを受信しなくても受信器２を特定することができるので、識別データを送信することができない受信器２を用いても本発明の第１の実施の形態ないし第３の実施の形態に記載した本発明の効果を得ることができる。
【００９２】
なお、本実施の形態で、信号処理装置２１から送信する検知情報は、電気信号を検知した電気信号検知有無情報を受け取った接続端子２１ａの識別データを送信し、電気信号を検知しない電気信号検知有無情報を受け取った場合には識別データを送信しない構成として識別データが電気信号有無情報を兼ねても良い。
【図面の簡単な説明】
【００９３】
【図１】本発明に係るケーブルルート検索システムの第１の実施の形態の構成を示す概略構成図。
【図２】本発明に係る第１の実施の形態の受信器の実施の形態の概観を示す正面図。
【図３】本発明に係るケーブルルート検索システムの第１の実施の形態のルート検索部の機能ブロック図。
【図４】図３に示す検索命令手段の詳細を示し、（ａ）は発信器が通信回線に接続された場合の機能ブロック図、（ｂ）は通信回線に接続されていない発信器を用いる場合の機能ブロック図、（ｃ）は電気信号の周波数を通信回線からの情報で設定する場合の機能ブロック図。
【図５】本発明に係るケーブルルート検索システムの第１の実施の形態のフローチャート。
【図６】本発明に係るケーブルルート検索システムの第１の実施の形態のケーブルルート検索装置の表示部の画像を示し、（ａ）は検索処理直前の説明図、（ｂ）は検索結果の説明図。
【図７】図５に示す検索処理ステップの詳細を示し、（ａ）は発信器が通信回線に接続されている場合のフローチャート、（ｂ）は通信回線に接続されていない発信器を用いる場合のフローチャート。
【図８】本発明に係るケーブルルート検索システムの第２の実施の形態のフローチャートの検索手段の詳細フローを示すフローチャート。
【図９】本発明に係るケーブルルート検索システムの第３の実施の形態のケーブルルート検索装置のルート検索部の機能ブロック図。
【図１０】図９に示す分析手段の詳細を示し、（ａ）は図の情報のみが記憶された配線情報を用いる場合の機能ブロック図、（ｂ）は各部が認識できる情報として記憶された配線情報を用いる場合の機能ブロック図。
【図１１】本発明に係るケーブルルート検索システムの第３の実施の形態のケーブルルート検索装置のフローチャート。
【図１２】図１１に示す画像分析ステップの詳細フローを示し、（ａ）は図の情報のみが記憶された配線情報を用いる場合のフローチャート、（ｂ）は各部が認識できる情報として記憶された配線情報を用いる場合のフローチャート。
【図１３】本発明に係るケーブルルート検索システム第３の実施の形態のケーブルルート検索装置の表示部の画像を示し、（ａ）は検索処理直前の説明図、（ｂ）は検索結果の説明図。
【図１４】本発明にかかるケーブルルート検索システムの第４の実施の形態の構成を示す概略構成図。
【図１５】本発明に係るケーブルルート検索システムの第５の実施の形態の構成を示す概略構成図。
【図１６】本発明に係る信号処理装置の実施の形態の概観を示す正面図。
【符号の説明】
【００９４】
１…発信器、１ａ…クランプ、２…受信器、２ａ…センサ部、２ｂ…表示灯、２ｃ…設定手段、２ｄ…接続端子、３…ケーブル、４…電線管、５…ケーブルトレイ、６…装置、７…電線管分岐箱、９ａ，９ｂ…無線通信装置、１０…ケーブルルート検索装置、１１…ルート検索部、１２…表示部、１３…入力部、１４…データ入力部、１５…出力部、２０…通信回線、２０ａ…接続ケーブル、２１…信号処理装置、２１ａ…接続端子、２１ｂ…設定手段、１００…画像データ入力手段、１０１…画像作成手段、１０２…画像データ記憶手段、１０３…画像位置入力手段、１０４…機器位置書込手段、１０５…機器位置記憶手段、１０６…識別データ記憶手段、１０７…検索命令手段、１０７ａ…電気信号周波数設定手段、１０７ｂ…電気信号発信命令手段、１０７ｃ…検知情報送信命令手段、１０８…検知情報受信手段、１０９…照合手段、１１０…機器画像記憶手段、１１１…画像表示手段、１１２…画像出力手段、１１３…分析手段、１１３ａ…画像分析手段、１１３ｂ…図画パターン記憶手段、１１３ｃ…連携分析手段、１１４…連携記憶手段、１１５…連携処理手段、２０１…通信回線入出力インターフェース。
【図１】
2005208866.tif 000003
【図２】
2005208866.tif 000004
【図３】
2005208866.tif 000005
【図４】
2005208866.tif 000006
【図５】
2005208866.tif 000007
【図６】
2005208866.tif 000008
【図７】
2005208866.tif 000009
【図８】
2005208866.tif 000010
【図９】
2005208866.tif 000011
【図１０】
2005208866.tif 000012
【図１１】
2005208866.tif 000013
【図１２】
2005208866.tif 000014
【図１３】
2005208866.tif 000015
【図１４】
2005208866.tif 000016
【図１５】
2005208866.tif 000017
【図１６】
2005208866.tif 000018